(57)【要約】【課題】作成代行者が、ユーザからのホームページの画像情報としての原稿情報により、ホームページ情報を作成する、ホームページ作成代行システム，ホームページ作成代行方法およびホームページ作成代行プログラムを提供する。【解決手段】ユーザ端末から通信回線を介して送信される第一の画像情報と第二の画像情報から成る原稿情報を受信して、前もって登録された作成代行者の作成代行端末に対して、当該原稿情報をネットワークを介してホームページ作成代行センターの記憶手段から読み出させ、読み出した原稿情報をＯＣＲ処理させ、さらに原稿情報の第一の画像情報と対比して修正させ、この修正済み情報をネットワークを介して受信して、原稿情報の第二の画像情報を参照して加工することにより、ホームページ情報を作成して、通信回線を介してユーザ端末に送信し、ユーザ端末にて、このホームページ情報を画像情報として出力させる。【選択図】      図１
2004259133.tif 000002
【特許請求の範囲】
【請求項１】
通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する、ホームページ作成代行システムであって、
上記ユーザ端末が、ユーザの所望するホームページ案を図式化した第一の画像情報と、このホームページの内容を説明する説明文を含む第二の画像情報とから成る原稿情報を、通信回線を介してホームページ作成代行センターに送信すると共に、ホームページ作成代行センターから通信回線を介して送信されてくるホームページ情報を画像情報として出力し、
上記ホームページ作成代行センターが、
ユーザ端末から通信回線を介して送られてくる原稿情報を受信して記憶手段に登録すると共に、作成代行端末からネットワークを介して送られてくる修正済み情報，ホームページ情報を受信して記憶手段に登録する受信手段と、
上記原稿情報をＯＣＲ処理して記憶手段に記憶する加工処理手段と、
これらの原稿情報，ＯＣＲ処理情報，修正済み情報およびホームページ情報を登録する記憶手段と、
上記記憶手段からホームページ情報を読み出して、ユーザ端末に送信する送信手段と、を備え、
上記作成代行端末が、ホームページ作成代行センターの記憶手段に登録された上記原稿情報，ＯＣＲ処理情報をネットワークを介して読み出して、読み出したＯＣＲ処理情報と原稿情報の第一の画像情報とを対比して、ＯＣＲ処理のエラーを修正して、修正した修正済み情報と、原稿情報の第二の画像情報により修正済み情報をホームページに加工したホームページ情報をネットワークを介してホームページ作成代行センターに送信することを特徴とするホームページ作成代行システム。
【請求項２】
上記ユーザ端末が、ファクシミリ装置であることを特徴とする請求項１に記載のホームページ作成代行システム。
【請求項３】
上記通信回線が一般公衆回線網であることを特徴とする請求項１または２に記載のホームページ作成代行システム。
【請求項４】
上記ネットワークがインターネットであることを特徴とする請求項１〜３のいずれかに記載のホームページ作成代行システム。
【請求項５】
上記原稿情報が、ユーザが希望する更新期間を指定する更新情報を含んでいることを特徴とする請求項１〜４のいずれかに記載のホームページ作成代行システム。
【請求項６】
上記更新情報に基づいて、上記作成代行端末が修正済み情報およびホームページ情報を作成し、ホームページ作成代行センターの加工処理手段が新たなホームページ情報として、記憶手段に登録されたホームページ情報を更新することを特徴とする請求項５に記載のホームページ作成代行システム。
【請求項７】
上記ホームページ作成代行センターの加工処理手段が、当該ユーザの現在および過去のホームページ情報と、これらの更新履歴情報を記憶手段に登録することを特徴とする請求項６に記載のホームページ作成代行システム。
【請求項８】
上記作成代行端末が、ホームページ更新のために新たなＯＣＲ処理情報および修正済み情報を記憶手段から読み出す際に、必要に応じて当該ユーザの現在または過去のホームページ情報そして更新履歴情報も記憶手段から読み出すことを特徴とする請求項６または７に記載のホームページ作成代行システム。
【請求項９】
上記ホームページ作成代行センターの受信手段が、ユーザ端末から送られてきた原稿情報を記憶手段に登録する際に、当該原稿情報をＯＣＲ処理して、テキスト情報を抽出し、ホームページ検索用の単語を取り出して、当該原稿情報と関連付けて記憶手段に登録することを特徴とする請求項１〜８のいずれかに記載のホームページ作成代行システム。
【請求項１０】
上記ホームページ作成代行センターが、ユーザ端末から送られてきた原稿情報の第一の画像情報をＯＣＲ処理して、レイアウト解析を行ない、文章，表および図の組合せの難易度を判定するとともに、原稿情報の第二の画像情報からテキスト情報を抽出し、難易度を判定するための単語を検索して難易度を判定する解析手段を備えていることを特徴とする請求項１〜９のいずれかに記載のホームページ作成代行システム。
【請求項１１】
上記作成代行者の登録の際に、当該作成代行者のホームページ作成技術のレベルも登録しておき、
上記ホームページ作成代行センターが、解析手段および難易度判定のための単語抽出により判定されたユーザ端末からの原稿情報の難易度に基づいて、このホームページ作成技術のレベルにより作成代行者を選定することを特徴とする請求項１０に記載のホームページ作成代行システム。
【請求項１２】
上記ホームページ作成代行センターが、記憶手段に登録されているすべてのユーザのホームページ情報に関して、各ホームページ情報の所在位置を管理する管理手段を備えており、
この管理手段が、閲覧者に対しては現在のホームページ情報のみの提供を許可し、ユーザまたは作成代行者に対しては作成代行すべきユーザの現在および過去のホームページ情報の提供を許可することを特徴とする請求項６〜１１のいずれかに記載のホームページ作成代行システム。
【請求項１３】
通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する、ホームページ作成代行方法であって、
上記ユーザ端末が、ユーザの所望するホームページ案を図式化した第一の画像情報と、このホームページの内容を説明する説明文を含む第二の画像情報とから成る原稿情報を、通信回線を介してホームページ作成代行センターに送信する第一のステップと、
上記ホームページ作成代行センターにて、ユーザ端末から通信回線を介して送られてくる原稿情報を受信して、原稿情報を記憶手段に登録する第二のステップと、
上記ホームページ作成代行センターにて、原稿情報をＯＣＲ処理して、ＯＣＲ処理情報を記憶手段に登録する第三のステップと、
上記作成代行端末により、ホームページ作成代行センターの記憶手段に登録された上記ＯＣＲ処理情報をネットワークを介して読み出す第四のステップと、
上記作成代行端末により、読み出したＯＣＲ処理情報を原稿情報の第一の画像情報と対比して、修正し、修正済み情報をホームページ作成代行センターにネットワークを介して送信する第五のステップと、
上記ホームページ作成代行センターにて、上記作成代行端末からネットワークを介して送られてくる修正済み情報を受信して記憶手段に登録する第六のステップと、
上記作成代行端末により、ホームページ作成代行センターの記憶手段に登録された上記修正済み情報をネットワークを介して読み出す第七のステップと、
上記作成代行端末により、読み出した修正済み情報を原稿情報の第二の画像情報に含まれる説明文に基づいて修正済み情報を加工してホームページ情報を作成して、ホームページ作成代行センターにネットワークを介して送信する第八のステップと、
上記ホームページ作成代行センターにて、上記作成代行端末からネットワークを介して送られてくるホームページ情報を受信して記憶手段に登録する第九のステップと、
上記ホームページ作成代行センターにて、記憶手段からホームページ情報を読み出して、ユーザ端末に送信する第十のステップと、
上記ユーザ端末にて、ホームページ作成代行センターから通信回線を介して送信されてくるホームページ情報を画像情報として出力する第十一のステップと、を設けたことを特徴とするホームページ作成代行方法。
【請求項１４】
通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する処理をコンピュータに実行させるホームページ作成代行プログラムであって、
上記ユーザ端末から、ユーザの所望するホームページ案を図式化した第一の画像情報と、このホームページの内容を説明する説明文を含む第二の画像情報とから成る原稿情報を、通信回線を介してホームページ作成代行センターにて受信して、記憶手段に登録し、
上記ホームページ作成代行センターにて、記憶手段に登録された上記原稿情報をＯＣＲ処理して、ＯＣＲ処理情報として記憶手段に登録し、
上記作成代行端末に対して、ホームページ作成代行センターの記憶手段に登録された上記ＯＣＲ処理情報をネットワークを介して読み出させ、上記作成代行端末により、読み出したＯＣＲ処理情報を原稿情報の第一の画像情報と対比して修正させ、修正済み情報をホームページ作成代行センターにネットワークを介して受信して、記憶手段に登録し、
上記作成代行端末に対して、ホームページ作成代行センターの記憶手段に登録された上記修正済み情報をネットワークを介して読み出させ、上記作成代行端末により、読み出した修正済み情報を原稿情報の第二の画像情報に含まれる説明文に基づいて加工してホームページ情報を作成させ、ホームページ情報をホームページ作成代行センターにネットワークを介して受信して、記憶手段に登録し、
上記ホームページ作成代行センターにて、記憶手段からホームページ情報を読み出して、ユーザ端末に送信して、上記ユーザ端末にて、このホームページ情報を画像情報として出力させる、ことを特徴とするホームページ作成代行プログラム。
【発明の詳細な説明】
【０００１】
【発明の属する技術分野】
本発明は、ユーザ端末からのホームページ作成の注文に基づいて、ホームページ情報を作成して、ユーザ端末に送信するようにした、ホームページ代行の技術に関する。
【０００２】
【従来の技術】
従来、インターネットの爆発的な普及に伴って、多くの個人ユーザが自らホームページを開設して、ネットワーク上で公開するようになってきている。
このようなホームページは、ユーザがプロバイダ等のサーバや自分自身のサーバ内に、ホームページ情報を置いて、そのＵＲＬを広く一般に公開して、不特定多数の利用者に閲覧させるようになっている。
【０００３】
ところで、このようなホームページは、従来は以下のように作成するようになっている。
すなわち、ユーザは、インターネットに接続された自分の端末、例えばパーソナルコンピュータ等のコンピュータを使用して、ホームページ情報を作成し、このホームページ情報をインターネットを介してプロバイダ等のサーバに転送するようにしている。
このため、従来は、ホームページを開設したいユーザは、パーソナルコンピュータ等のコンピュータを所有しあるいは利用できること、そしてホームページ情報の作成に関する知識を有していることが前提条件となり、このようなコンピュータを利用できないユーザやホームページ作成に関する知識を有していないユーザは、自らホームページを開設することができなかった。
【０００４】
そこで、ホームページ作成に関する知識を有していないユーザを支援するために、図５に示すように、ユーザが、ユーザ端末９００を使用して、インターネット９１０を介して、プロバイダ等のサーバに設けられたセンター端末９２０に接続して、プロバイダ等が開設するホームページ作成用のホームページにアクセスして、センター端末９２０からインターネット９１０を介して送られてくるホームページ作成用画面をユーザ端末９００の表示部の画面上に表示させながら、ユーザの所望するホームページを作成できるようにしたものもある。
【０００５】
しかしながら、このようなホームページ作成方法においても、ユーザはユーザ端末９００として自分が利用できるパーソナルコンピュータ等のコンピュータが必要であり、このようなコンピュータを利用できないユーザは、ホームページを開設することができなかった。
【０００６】
これに対して、このようなユーザのホームページ開設を支援するために、いわゆるホームページ作成代行に関する技術が、例えば特許文献１および特許文献２に開示されている。
特許文献１によれば、ユーザのファクシミリ装置から送信された画像信号をサーバ側にて自動的にＷｅｂデータに変換して、サーバの記憶領域に記憶させることにより、ホームページを作成するようになっている。
また、特許文献２によれば、それぞれ自分のサーバ上にホームページを開設するユーザに対して、ホームページ代行管理者が、インターネットを介して各ユーザのサーバ上にホームページ情報にアクセスして、当該ホームページ情報の更新を行なうようになっている。
【０００７】
【特許文献１】
特開２００２−０３２３０１号（第３−４頁，第１−２図）
【特許文献２】
特開２００２−１８３３２７号（第３−４頁，第１−２図）
【０００８】
【発明が解決しようとする課題】
しかしながら、特許文献１においては、ユーザはパーソナルコンピュータ等のコンピュータを使用せずに所望のホームページ情報をファクシミリ装置により画像として送信すればよいが、Ｗｅｂデータに変換する際に、サーバ側では、ユーザから送られてきた画像情報に基づいてＨＴＭＬデータに変換するようになっている。このため、ユーザが画像情報を作成する際に、文字領域と画像領域とを明白に区分しておく必要があると共に、表領域については対応しておらず、表領域の各欄内の文字データを読み取ることは困難であると共に、ハイパーリンク等のリンク処理を含む複雑な処理を、自動作成処理により行なうことは不可能である。このような場合、ホームページ情報を補足説明する文書を、別途ファクシミリ装置を利用したり、あるいはメール等により送信する必要があり、作業が煩雑になってしまう。
【０００９】
また、特許文献２においては、各ユーザのサーバに分散しているＷｅｂデータを代行管理者がインターネットを介して更新するものであり、本発明とは目的が異なる。
【００１０】
本発明は、上記の問題を解決すべくなされたものであり、第三者である作成代行者が、ユーザからのホームページの原稿情報に基づいて、ホームページ情報を作成するようにした、ホームページ作成代行システム，ホームページ作成代行方法およびホームページ作成代行プログラムの提供を目的とする。
【００１１】
【課題を解決するための手段】
この目的を達成するため、本発明の請求項１記載のホームページ作成代行システムは、通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する、ホームページ作成代行システムであって、上記ユーザ端末が、ユーザの所望するホームページ案を図式化した第一の画像情報と、このホームページの内容を説明する説明文を含む第二の画像情報とから成る原稿情報を、通信回線を介してホームページ作成代行センターに送信すると共に、ホームページ作成代行センターから通信回線を介して送信されてくるホームページ情報を画像情報として出力し、上記ホームページ作成代行センターが、ユーザ端末から通信回線を介して送られてくる原稿情報を受信して記憶手段に登録すると共に、作成代行端末からネットワークを介して送られてくる修正済み情報，ホームページ情報を受信して記憶手段に登録する受信手段と、上記原稿情報をＯＣＲ処理して記憶手段に記憶する加工処理手段と、これらの原稿情報，ＯＣＲ処理情報，修正済み情報およびホームページ情報を関連付けて登録する記憶手段と、上記記憶手段からホームページ情報を読み出して、ユーザ端末に送信する送信手段と、を備え、上記作成代行端末が、ホームページ作成代行センターの記憶手段に登録された上記原稿情報，ＯＣＲ処理情報をネットワークを介して読み出して、読出手段により読み出したＯＣＲ処理情報と原稿情報の第一の画像情報とを対比して、ＯＣＲ処理のエラーを修正して、修正した修正済み情報をネットワークを介してホームページ作成代行センターに送信すると共に、読出手段により読み出した修正済み情報を原稿情報の第二の画像情報に含まれる説明文に基づいて加工してホームページ情報を作成して、作成したホームページ情報をネットワークを介してホームページ作成代行センターに送信する構成としてある。
【００１２】
ホームページ作成代行システムをこのような構成とすると、ユーザが所望するホームページ案を図式化した第一の画像情報と内容の説明文とを含む第二の画像情報から成る原稿情報を、通信回線を介してホームページ作成代行センターに送信すれば、ホームページ作成代行センターがこの原稿情報をＯＣＲ処理し、ホームページ作成代行センターから第三者である前もって登録された作成代行者の作成代行端末に当該ＯＣＲ処理情報をネットワークを介して読み出させる。
これにより、作成代行者は、作成代行端末にてこのＯＣＲ処理情報のエラー訂正の修正，ホームページの加工を行って、修正済み情報およびホームページ情報を作成し、ネットワークを介してホームページ作成代行センターに送信する。
この修正済み情報の作成およびホームページ情報の作成は、それぞれ同一の作成代行者により同一の作成代行端末を用いて行われるのみならず、異なる作成代行者により、別個の作成代行端末を用いて行ってもよい。
そして、ホームページ作成代行センターが、ホームページ情報を、通信回線を介してユーザ端末に送信する。
【００１３】
このようにして、本発明のホームページ作成代行システムによれば、ユーザは、ホームページ作成に関する知識がなくても、手書きまたは切り貼り等によりホームページ案を図式化した画像情報を作成して、ホームページ作成代行センターに送信すれば、ホームページ作成代行センターを介して第三者である作成代行者が作成代行端末を操作することにより、ホームページ情報が作成され、ホームページ作成代行センターにユーザの所望するホームページ情報が作成される。さらに、当該ホームページ情報が通信回線を介してユーザ端末に送信されることにより、ユーザ端末にて当該ホームページ情報の画像情報が出力されるので、ユーザはこの画像情報を視認することにより、当該ホームページ情報の出来上りを確認することができる。
その際、ユーザ端末とホームページ作成代行センターとの間では画像情報のみの送受信が行なわれればよいので、ユーザ端末はパーソナルコンピュータ等のコンピュータでなくてもよい。
また、作成代行端末にて修正済み情報をホームページに加工する際に、ユーザからの原稿情報の第二の画像情報に含まれる説明文を参照することにより、より正確なホームページ情報を作成することができる。
【００１４】
また、ユーザがホームページ作成代行センターに送信した原稿情報、そしてホームページ作成代行センターでＯＣＲ処理されたＯＣＲ処理情報、さらに作成代行端末で作成された修正済み情報およびホームページ情報は、すべてホームページ作成代行センターの記憶手段に一括して登録されているので、作成代行端末での作業中に、万が一作業中の原稿情報，ＯＣＲ処理情報，修正済み情報またはホームページ情報に消失，破損等の障害が発生したとしても、ホームページ作成代行センターの記憶手段から再度読み出せばよいので、安全性が確保されることになる。
【００１５】
さらに、ホームページ作成代行センターがホームページ情報を作成代行するのではなく、第三者である前もって登録された作成代行者にホームページ情報の作成代行を外注することになるので、ホームページ作成代行の作業を能率化することができると共に、ホームページ作成代行センターの人件費負担が軽減される。
【００１６】
請求項２記載のホームページ作成代行システムは、上記ユーザ端末が、ファクシミリ装置である構成としてある。
【００１７】
ホームページ作成代行システムをこのような構成とすると、ユーザは、パーソナルコンピュータ等のコンピュータを利用することができなくても、ファクシミリ装置を使用することによって、上記原稿情報を、ホームページ作成代行センターに通信回線を介して送信することによって、ホームページ情報を作成することができる。
【００１８】
請求項３記載のホームページ作成代行システムは、上記通信回線が一般公衆回線網である構成としてある。
【００１９】
ホームページ作成代行システムをこのような構成とすると、ユーザは、パーソナルコンピュータ等のコンピュータによりネットワークに接続することができなくても、ファクシミリ装置等により一般公衆回線網を介して、原稿情報を、ホームページ作成代行センターに送信することによって、ホームページ情報を作成することができる。
【００２０】
請求項４記載のホームページ作成代行システムは、上記ネットワークがインターネットである構成としてある。
【００２１】
ホームページ作成代行システムをこのような構成とすると、作成代行者は、どこに居ても、自分の作成代行端末をインターネットを介してホームページ作成代行センターに接続することができると共に、ホームページ作成代行センターは、世界各地に分散した作成代行者を選定しておくことにより、例えば２４時間体制でホームページ作成代行の作業を行なうことができる。
【００２２】
請求項５記載のホームページ作成代行システムは、上記原稿情報が、ユーザが希望する更新期間を指定する更新情報を含んでいる構成としてある。
請求項６記載のホームページ作成代行システムは、上記更新情報に基づいて、上記作成代行端末が修正済み情報およびホームページ情報を作成し、ホームページ作成代行センターの加工処理手段が新たなホームページ情報として、記憶手段に登録されたホームページ情報を更新する構成としてある。
【００２３】
ホームページ作成代行システムをこのような構成とすると、原稿情報に、例えば１ヶ月，３ヶ月，半年等の更新期間を記載しておくことにより、ホームページ作成代行センター側で、ユーザの希望する更新期間を把握することができ、当該更新期間が経過したとき、自動的に作成代行者に対してホームページ更新時期を通知して、更新のための修正済み情報およびホームページ情報の作成を促し、更新したいホームページ情報の作成代行を行なうことができる。
【００２４】
請求項７記載のホームページ作成代行システムは、上記ホームページ作成代行センターの加工処理手段が、当該ユーザの現在および過去のホームページ情報と、これらの更新履歴情報を記憶手段に登録する構成としてある。
請求項８記載のホームページ作成代行システムは、上記作成代行端末が、ホームページ更新のために新たなＯＣＲ処理情報および修正済み情報を記憶手段から読み出す際に、必要に応じて当該ユーザの現在または過去のホームページ情報そして更新履歴情報も記憶手段から読み出す構成としてある。
【００２５】
ホームページ作成代行システムをこのような構成とすると、ホームページ作成代行センターが、各ユーザに関する過去から現在までのホームページ情報および更新履歴情報を記憶手段に登録しておくことによって、作成代行端末によりホームページ情報の更新のための修正済み情報およびホームページ情報を作成する際に、過去のホームページ情報および更新履歴情報を参照して、更新したいホームページ情報のための修正済み情報およびホームページ情報の作成を行なうことができる。
【００２６】
請求項９記載のホームページ作成代行システムは、上記ホームページ作成代行センターの受信手段が、ユーザ端末から送られてきた原稿情報を記憶手段に登録する際に、当該原稿情報をＯＣＲ処理して、テキスト情報を抽出し、ホームページ検索用の単語を取り出して、当該原稿情報と関連付けて記憶手段に登録する構成としてある。
【００２７】
ホームページ作成代行システムをこのような構成とすると、ホームページ作成代行センターの記憶手段に、原稿情報から抽出したホームページ検索用の単語を取り出して、当該原稿情報と関連付けて記憶手段に登録しておくことにより、さらにこの原稿情報に対して、ＯＣＲ処理情報，修正済み情報そしてホームページ情報が関連付けられると、ホームページ情報が上記ホームページ検索用の単語と関連付けられることになり、当該ホームページ情報を容易に検索して見つけ出すことができる。
【００２８】
請求項１０記載のホームページ作成代行システムは、上記ホームページ作成代行センターが、ユーザ端末から送られてきた原稿情報の第一の画像情報をＯＣＲ処理して、レイアウト解析を行ない、文章，表および図の組合せの難易度を判定するとともに、原稿情報の第二の画像情報からテキスト情報を抽出し、難易度を判定するための単語を検索して難易度を判定する解析手段を備えている構成としてある。
【００２９】
ホームページ作成代行システムをこのような構成とすると、ホームページ作成代行センターの解析手段が、原稿情報の第一の画像情報をレイアウト解析することにより、文章，表および図の解析を行なうので、原稿情報に含まれる文章，表および図が抽出できると共に、これらの組合せによるホームページ作成作業の難易度を判定することができる。例えば、文章のみであれば、難易度は低く、また文章，表および図が複雑にレイアウトされたような場合には、難易度は高くなる。さらに、原稿情報の第二の画像情報からテキスト情報を抽出し、難易度を判定するための単語を検索して難易度を判定することができる。例えば、リンク，ジャンプ等である。
【００３０】
請求項１１記載のホームページ作成代行システムは、上記作成代行者の登録の際に、当該作成代行者のホームページ作成技術のレベルも登録しておき、上記ホームページ作成代行センターが、解析手段により判定されたユーザ端末からの原稿情報の難易度に基づいて、このホームページ作成技術のレベルにより作成代行者を選定する構成としてある。
【００３１】
ホームページ作成代行システムをこのような構成とすると、解析手段により判定されたユーザ端末からの原稿情報の難易度に基づいて、この原稿情報からホームページ情報を作成するための技術を持った作成代行者を選定して、この作成代行者の作成代行端末により修正済み情報およびホームページ情報を作成させる。したがって、ユーザからの原稿情報に見合った技術を有する作成代行者がホームページ作成作業を担当することによって、ユーザの所望するホームページ情報が確実に作成され得ることになる。
【００３２】
請求項１２記載のホームページ作成代行システムは、上記ホームページ作成代行センターが、記憶手段に登録されているすべてのユーザのホームページ情報に関して、各ホームページ情報の所在位置を管理する管理手段を備えており、この管理手段が、閲覧者に対しては現在のホームページ情報のみの提供を許可し、ユーザまたは作成代行者に対しては作成代行すべきユーザの現在および過去のホームページ情報の提供を許可する構成としてある。
【００３３】
ホームページ作成代行システムをこのような構成とすると、管理手段により当該ユーザに関する過去および現在のすべてのホームページ情報の所在位置を管理することにより、一括管理を行なうことができると共に、閲覧者に対しては、最新のホームページ情報のみを提供し、またユーザまたは作成代行者に対しては、必要に応じて現在および過去のすべてのホームページ情報を提供する。これにより、ユーザまたは作成代行者は、現在および過去のすべてのホームページ情報を自己のユーザ端末または作成代行端末内に保持しておく必要がない。
【００３４】
また、この目的を達成するため、本発明の請求項１３記載のホームページ作成代行方法は、通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する、ホームページ作成代行方法であって、上記ユーザ端末が、ユーザの所望するホームページ案を図式化した第一の画像情報と、このホームページの内容を説明する説明文を含む第二の画像情報とから成る原稿情報を、通信回線を介してホームページ作成代行センターに送信する第一のステップと、上記ホームページ作成代行センターにて、ユーザ端末から通信回線を介して送られてくる原稿情報を受信して記憶手段に登録する第二のステップと、上記ホームページ作成代行センターにて、記憶手段に登録された上記原稿情報をＯＣＲ処理してＯＣＲ処理情報を記憶手段に登録する第三のステップと、上記作成代行端末により、ホームページ作成代行センターの記憶手段に登録された上記ＯＣＲ処理情報をネットワークを介して読み出す第四のステップと、上記作成代行端末により、読み出したＯＣＲ処理情報を原稿情報の第一の画像情報と対比して、修正し、修正済み情報をホームページ作成代行センターにネットワークを介して送信する第五のステップと、上記ホームページ作成代行センターにて、上記作成代行端末からネットワークを介して送られてくる修正済み情報を受信して記憶手段に登録する第六のステップと、上記作成代行端末により、ホームページ作成代行センターの記憶手段に登録された上記修正済み情報をネットワークを介して読み出す第七のステップと、上記作成代行端末により、読み出した修正済み情報を原稿情報に含まれる文章に基づいて加工してホームページ情報を作成し、ホームページ情報をホームページ作成代行センターにネットワークを介して送信する第八のステップと、上記ホームページ作成代行センターにて、上記作成代行端末からネットワークを介して送られてくるホームページ情報を受信して記憶手段に登録する第九のステップと、上記ホームページ作成代行センターにて、記憶手段からホームページ情報を読み出して、ユーザ端末に送信する第十のステップと、上記ユーザ端末にて、ホームページ作成代行センターから通信回線を介して送信されてくるホームページ情報を画像情報として出力する第十一のステップと、を設けた構成としてある。
【００３５】
ホームページ作成代行方法をこのような構成とすると、第一のステップにて、ユーザが所望するホームページ案を図式化した第一の画像情報と内容の説明文を含む第二の画像情報とから成る原稿情報を、通信回線を介してホームページ作成代行センターに送信すると、第二のステップにて、ホームページ作成代行センターがこの原稿情報を受信して記憶手段に登録すると共に、第三のステップにて、記憶手段に登録された当該原稿情報をＯＣＲ処理してＯＣＲ処理情報を記憶手段に登録する。
次に、第四のステップにて、第三者である前もって登録された作成代行者の作成代行端末がＯＣＲ処理情報をネットワークを介してホームページ作成代行センターの記憶手段から読み出す。
【００３６】
これにより、第五のステップにて、作成代行端末によりこのＯＣＲ処理情報を原稿情報の第一の画像情報と対比させて、エラー等の修正を行ない、修正済み情報をネットワークを介してホームページ作成代行センターに送信し、第六のステップにて、ホームページ作成代行センターが、この修正済み情報を記憶手段に登録する。
次に、第七のステップにて、作成代行端末が修正済み情報をネットワークを介してホームページ作成代行センターの記憶手段から読み出す。
【００３７】
これにより、第八のステップにて、作成代行端末によりこの修正済み情報を原稿情報に含まれる文章に基づいて加工してホームページ情報を作成し、このホームページ情報をネットワークを介してホームページ作成代行センターに送信し、第九のステップにて、ホームページ作成代行センターが、このホームページ情報を記憶手段に登録する。
続いて、第十のステップにて、このホームページ情報を記憶手段から読み出して通信回線を介してユーザ端末に送信する。
このようにして、第十一のステップにて、ユーザ端末がこのホームページ情報を画像情報として出力する。これにより、ユーザは、出来上ったホームページ情報の画像情報を見ることにより、ホームページ情報を視覚的に確認することができる。
【００３８】
このようにして、本発明のホームページ作成代行方法によれば、ユーザは、ホームページ作成に関する知識がなくても、手書きまたは切り貼り等によりホームページ情報案を図式化した第一の画像情報を作成して、ホームページ作成代行センターに送信すれば、ホームページ作成代行センターを介して第三者である作成代行者が作成代行端末を操作することにより、ユーザの所望するホームページ情報が作成される。さらに、当該ホームページ情報が通信回線を介してユーザ端末に送信されることにより、ユーザ端末にて当該ホームページ情報の画像情報が出力されるので、ユーザはこの画像情報を視認することにより、当該ホームページ情報の出来上りを確認することができる。
【００３９】
さらにまた、この目的を達成するため、本発明の請求項１４記載のホームページ作成代行プログラムは、通信回線を介してユーザのユーザ端末からの原稿情報を、ホームページ作成代行センターで受信して、前もって登録された作成代行者の作成代行端末にネットワークを介して転送し、作成代行端末にてこの原稿情報に基づいて作成されたホームページ情報をネットワークを介して受信し、このホームページ情報を通信回線を介してユーザ端末に送信する処理をコンピュータに実行させるホームページ作成代行プログラムであって、上記ユーザ端末から、ユーザの所望するホームページ案を図式化した第一の画像情報と、このホームページの内容を説明する説明文を含む第二の画像情報とから成る原稿情報を、通信回線を介してホームページ作成代行センターにて受信して、記憶手段に登録し、記憶手段に登録された上記原稿情報をＯＣＲ処理して、ＯＣＲ処理情報を記憶手段に登録し、上記作成代行端末に対して、ホームページ作成代行センターの記憶手段に登録された上記ＯＣＲ処理情報をネットワークを介して読み出させ、上記作成代行端末により、読み出したＯＣＲ処理情報を原稿情報の第一の画像情報と対比して修正させ、修正済み情報をホームページ作成代行センターにネットワークを介して受信して、記憶手段に登録し、上記作成代行端末に対して、ホームページ作成代行センターの記憶手段に登録された上記修正済み情報をネットワークを介して読み出させ、上記作成代行端末により、読み出した修正済み情報を原稿情報に含まれる文章に基づいて加工してホームページ情報を作成して、ホームページ情報をホームページ作成代行センターにネットワークを介して受信して、記憶手段に登録し、上記ホームページ作成代行センターにて、記憶手段からホームページ情報を読み出して、ユーザ端末に送信して、上記ユーザ端末にて、このホームページ情報を画像情報として出力させる構成としてある。
【００４０】
ホームページ作成代行プログラムをこのような構成とすると、ユーザ端末から通信回線を介して送られてくる原稿情報を受信して、記憶手段に登録する。
そして、当該原稿情報を記憶手段から読み出して、読み出した原稿情報をＯＣＲ処理して、このＯＣＲ処理情報を記憶手段に登録する。
さらに、第三者である前もって登録された作成代行者の作成代行端末に対して、当該ＯＣＲ処理情報をネットワークを介してホームページ作成代行センターの記憶手段から読み出させ、読み出したＯＣＲ処理情報を原稿情報の第一の画像情報と対比して修正させ、この修正済み情報をネットワークを介して受信して、記憶手段に登録する。
【００４１】
続いて、作成代行端末に対して、当該修正済み情報をネットワークを介してホームページ作成代行センターの記憶手段から読み出させ、読み出した修正済み情報を原稿情報に含まれる文章に基づいて加工してホームページ情報を作成して、このホームページ情報をネットワークを介して受信して、記憶手段に登録する。
そして、このホームページ情報を記憶手段から読み出して通信回線を介してユーザ端末に送信し、ユーザ端末にて、このホームページ情報を画像情報として出力させ、ユーザに完成したホームページ情報を視認させる。
【００４２】
このようにして、本発明のホームページ作成代行プログラムによれば、ユーザは、ホームページ作成に関する知識がなくても、手書きまたは切り貼り等によりホームページ情報案を図式化した画像情報を作成して、ホームページ作成代行センターに送信すれば、ホームページ作成代行センターのサーバがプログラムにしたがって動作することにより、第三者である作成代行者が作成代行端末を操作することにより、ユーザの所望するホームページ情報が作成される。さらに、当該ホームページ情報が通信回線を介してユーザ端末に送信されることにより、ユーザ端末にて当該ホームページ情報の画像情報が出力されるので、ユーザはこの画像情報を視認することにより、当該ホームページ情報の出来上りを確認することができる。
【００４３】
【発明の実施の形態】
以下、本発明の実施の形態について、図面を参照して説明する。
なお、以下の実施形態におけるホームページ作成代行センターの情報処理装置での処理は、プログラムに制御されたサーバ等のコンピュータにより実行される。記録媒体としては、例えば磁気ディスク，半導体メモリ，その他の任意のコンピュータで読み取り可能なものを使用することができる。また、記録媒体に記録されたプログラムは、記録媒体を直接コンピュータに装着して当該コンピュータに読み込ませてもよく、またネットワークを介してコンピュータに読み込ませてもよい。
【００４４】
本発明のホームページ作成代行システムの一実施形態について、図１乃至図４を参照して説明する。
図１は、本実施形態のホームページ作成代行システムの構成を示すブロック図である。
【００４５】
図１に示すように、ホームページ作成代行システム１０は、ユーザ１００と、ホームページ作成代行センター２００と、通信回線３００と、作成代行者４００と、ネットワーク５００と、を設けてある。
なお、図１においては、ユーザ１００および作成代行者４００は、それぞれ一つだけ図示されているが、一つに限定されるものではない。
【００４６】
また、通信回線３００は、例えば一般公衆回線網であって、ユーザ１００のユーザ端末１１０（後述）とホームページ作成代行センター２００を相互に接続し、画像情報の送受信を行なうものである。
さらに、ネットワーク５００は、例えばインターネット，携帯電話を含む一般公衆回線網あるいは専用回線網等のネットワークであって、ユーザ１００の端末装置１１０（後述）とホームページ作成代行センター２００を相互に接続して、インターネット接続サービスを提供するものである。
【００４７】
ユーザ１００は、ホームページ作成代行センター２００に対してホームページ作成の代行を依頼しようとする者であって、通信回線３００を介してホームページ作成代行センター２００にアクセスし、ホームページ作成代行センター２００と画像情報の送受信を行なうことができる。
【００４８】
ユーザ１００は、ホームページ作成代行センター２００にアクセスするためのユーザ端末１１０として、ファクシミリ装置を使用することができ、このファクシミリ装置により、ホームページ作成代行センター２００に対して、所望のホームページ案の原稿情報１２０を送信すると共に、ホームページ作成代行センター２００から完成したホームページ情報を受信して、このホームページ情報の画像情報を出力（印刷，画面表示等）するようになっている。
なお、ユーザ端末１１０としては、例えばパーソナルコンピュータや、携帯電話，ＰＨＳを含む各種情報端末機器やオンラインショップ商品一括登録専用端末等の端末装置１１０を使用することも可能である。
【００４９】
上記原稿情報１２０は、例えば手書きまたは切り貼り等により作成されたユーザ１００の所望するホームページ案を図式化した第一の画像情報１２１と、このホームページ案の内容を説明する説明文を含む第二の画像情報１２２と、さらにホームページを更新すべき期間を示す更新情報１２３と、から構成されている。
【００５０】
さらに、ユーザ１００は、ホームページ作成代行センター２００にアクセスするために、前もって利用者情報（住所，名称，電話番号等）を届け出て会員登録しておき、当該ユーザ１００を一意に特定できる利用者識別コード１０１を有している。
これにより、ユーザ１００は、ホームページ作成代行センター２００に対して原稿情報１２０を送信する際に、利用者識別コード１０１を原稿情報１２０に記載しておくことによって、一意に特定されることにより、利用者情報をその都度入力する必要がない。
【００５１】
作成代行者４００は、ホームページ作成代行センター２００と前もって契約した第三者の外注として、ホームページ作成代行センター２００に対してホームページ作成の代行を請け負おうとする者であって、ネットワーク５００を介してホームページ作成代行センター２００にアクセスし、ホームページ作成代行センター２００のサーバ等にログインすることができる。
【００５２】
なお、作成代行者４００は、ホームページ作成代行センター２００にアクセスするための作成代行端末４１０として、パーソナルコンピュータや、携帯電話，ＰＨＳを含む各種情報端末機器やオンラインショップ商品一括登録専用端末等の端末装置１１０を使用することができ、この作成代行端末４１０で動作するホームページ作成用ツールによって、ホームページ情報を作成できるようになっている。
【００５３】
さらに、作成代行者１００は、ホームページ作成代行センター２００にアクセスするために、前もって利用者情報（住所，名称，電話番号等とホームページ作成技術のレベル）を届け出て登録しておき、当該作成代行者４００を一意に特定できる作成代行者識別コード４０１を有している。
これにより、作成代行者１００は、ホームページ作成代行センター２００のサーバ等にログインする際、作成代行者識別コード４０１を送信することによって、一意に特定されることにより、利用者情報をその都度入力する必要がない。
【００５４】
ここで、作成代行者４００は、後述するようにホームページ作成代行センター２００からホームページ作成代行指令を受け取ったとき、作成代行端末４１０によりホームページ作成代行センター２００にアクセスして、指定されたユーザ１００に関するＯＣＲ処理情報２５１を読み出して、このＯＣＲ処理情報２５１を原稿情報１２０と対比させて、すなわち第一の画像情報１２１との比較そして第二の画像情報１２２に含まれる説明文の参照により、ＯＣＲ処理情報２５１のＯＣＲ処理時の読取エラーによる誤字等を修正して、修正済み情報４２０を作成して、ホームページ作成代行センター２００に送信する。
【００５５】
さらに、作成代行者４００は、ホームページ作成代行センター２００からこの修正済み情報４２０を読み出して、当該修正済み情報４２０に対応する原稿情報１２０の第二の画像情報１２２に含まれる説明文に基づいて、修正済み情報４２０を加工してホームページ情報４３０を作成して、ホームページ作成代行センター２００に送信するようになっている。
なお、作成代行者４００の作成代行端末４１０による修正作業およびホームページ加工処理は、同時に連続して行なわれてもよく、その場合、修正済み情報４２０はホームページ作成代行センター２００に送信されず、また記憶部２７０にも登録されない。
【００５６】
ここで、作成代行者４００は、当該原稿情報１２０がホームページ更新のための原稿情報１２０である場合には、ホームページ作成代行センター２００からＯＣＲ処理情報２５１を読み出す際に、当該ユーザ１００の履歴情報（後述）を読み出して、この履歴情報に基づいて過去のホームページ情報（後述）も同時に読み出して、ホームページ情報４３０を作成する際に、これらの過去のホームページ情報を参照することができるようになっている。
【００５７】
ホームページ作成代行センター２００は、適宜の箇所に設けられたワークステーション，サーバ等の情報処理装置から構成されており、図２に示すように、センター端末２１０と、サーバ本体２２０と、を有している。
ここで、センター端末２１０は、受信部２３０，送信部２４０，加工処理部２５０，解析部２６０を含んでいる。
また、サーバ本体２２０は、記憶部２７０を含んでいる。
【００５８】
上記受信部２３０は、通信回線３００を介してユーザ１００のユーザ端末１１０から送られてくる原稿情報１２０を受信して、この原稿情報１２０をサーバ本体２２０の記憶部２７０に登録すると共に、ネットワーク５００を介して作成代行者４００の作成代行端末４１０から送られてくる修正済み情報４２０およびホームページ情報４３０を受信して、サーバ本体２２０の記憶部２７０に登録するようになっている。
さらに、受信部２３０は、通信回線３００を介してユーザ１００のユーザ端末１１０から送られてくる確認情報１３０を受信して、当該ユーザ１００のホームページ情報４３０を正式にホームページとして登録し、ネットワーク５００上にて一般公開する。
【００５９】
上記送信部２４０は、完成したホームページ情報を記憶部２７０から読み出して、通信回線３００を介してユーザ１００のユーザ端末１１０に送信すると共に、作成代行端末４１０からの読出要求に応じて、サーバ本体２２０の記憶部２７０に登録されている原稿情報１２０，ＯＣＲ処理情報２５１および修正済み情報４２０をネットワーク５００を介して作成代行端末４１０に送信するようになっている。
【００６０】
上記加工処理部２５０は、ユーザ端末１１０からネットワーク３００を介して送られサーバ本体２２０の記憶部２７０に登録された原稿情報１２０を読み出して、この原稿情報１２０の第一の画像情報１２１からＯＣＲ処理によりＯＣＲ処理情報２５１を作成して、これらを記憶部２７０に登録する。
さらに、上記加工処理部２５０は、当該ユーザ１００に関するホームページ情報４３０の更新履歴情報２５２を作成して、これらを記憶部２７０に登録する。その際、加工処理部２５０は、このホームページ情報４３０をネットワーク５００上で公開するホームページとして仮登録する。
【００６１】
上記解析部２６０は、受信部２３０がユーザ端末１１０からの原稿情報１２０を受信してサーバ本体２２０の記憶部２７０に登録する際に、この原稿情報１２０の第一の画像情報１２１をＯＣＲ処理して、テキスト情報を抽出し、このテキスト情報からホームページ検索用の単語（キーワード）２６１そして利用者識別コード１０１および更新情報１３０を取り出して、これらを原稿情報１２０と関連付けて、記憶部２７０に登録する。
さらに、上記解析部２６０は、上記ＯＣＲ処理により、レイアウト解析を行なって、原稿情報１２０の第一の画像情報１２１に含まれる文章，表および図の組合せの難易度を判定するとともに、原稿情報１２０の第二の画像情報１２２からテキスト情報を抽出し、難易度を判定するための単語（キーワード）２６１を検索して難易度を判定する。
【００６２】
そして、上記解析部２６０は、この判定された難易度に基づいて、記憶部２７０に登録されている作成代行者４００を、そのホームページ作成技術のレベルに基づいて検索して、当該原稿情報１２０の難易度に見合ったレベルの作成代行者４００を選定して、この作成代行者４００の作成代行端末４１０に対して、ユーザ１００を特定する利用者識別コード１０１を含むホームページ作成代行指令２６２を通知する。なお、このホームページ作成代行指令２６２は、例えば作成代行者４００宛の電子メール等であってもよい。
【００６３】
上記記憶部２７０は、上述したユーザ１００の利用者識別コード１０１，原稿情報１２０と、作成代行者４００の作成代行端末４１０からの修正済み情報４２０，ホームページ情報４３０および作成代行者識別コード４０１と、さらにＯＣＲ処理情報２５１，更新履歴情報２５２そして単語２６１が互いに関連付けて、例えばデータベース化されて登録されている。
【００６４】
次に、本実施形態のホームページ作成代行システム１０の動作について、図３〜図４を参照して説明する。
ホームページ作成代行システム１０は、図３に示すホームページ情報の新規作成作業および図４に示すホームページ情報の更新作成作業の処理の各ステップで利用される。
【００６５】
図３において、ユーザ１００は、符号Ａ１で示すように、自分のユーザ端末１１０により、通信回線３００を介してホームページ作成代行センター２００に接続して、原稿情報１２０を送信する。
【００６６】
これを受けて、ホームページ作成代行センター２００は、符号Ａ２で示すように、この原稿情報１２０を受信部２３０で受信して、符号Ａ３で示すように、解析部２６０により原稿情報１２０の第一の画像情報１２１をＯＣＲ処理して、ＯＣＲ処理情報２５１を作成し、符号Ａ４で示すように、このＯＣＲ処理情報２５１を利用者識別コード１０１および原稿情報１２０と共に、サーバ本体２２０の記憶部２７０に登録する。
【００６７】
次に、符号Ａ５で示すように、解析部２６０により原稿情報１２０の解析を行なって、符号Ａ６で示すように、解析部２６０により取り出されたホームページ検索用の単語２６１そして利用者識別コード１０１および更新情報１２３と共に、サーバ本体２２０の記憶部２７０に登録する。
【００６８】
同時に、ホームページ作成代行センター２００は、符号Ａ７で示すように、解析部２６０によるレイアウト解析により判定された当該原稿情報１２０の難易度に対応した作成代行者４００を記憶部２７０に登録された作成代行者の利用者情報に含まれるホームページ作成技術のレベルに基づいて、適宜の作成代行者４００を選定して、符号Ａ８で示すように、この作成代行者４００に対してネットワーク５００を介して、ホームページ作成代行指令２６２を通知する。
【００６９】
これを受けて、作成代行者４００は、符号Ａ９で示すように、その作成代行端末４１０により、ネットワーク５００を介して、作成代行者識別コード４０１を送信して、ホームページ作成代行センター２００のサーバにアクセスする。
続いて、作成代行者４００は、符号Ａ１０で示すように、その作成代行端末４１０により、前記利用者識別コード１０１に基づいて、ネットワーク５００を介してホームページ作成代行センター２００の記憶部２７０から、この利用者識別コード１０１に関連付けられた上記ＯＣＲ処理情報２５１および原稿情報１２０を読み出して、符号Ａ１１で示すように、ＯＣＲ処理情報２５１を原稿情報１２０の第一の画像情報１２１と対比して、ＯＣＲ処理の際に発生した読取エラーによる誤字等を修正して、修正済み情報４２０を作成する。
そして、作成代行端末４１０は、符号Ａ１２で示すように、この修正済み情報４２０を利用者識別コード１０１と共に、ネットワーク５００を介してホームページ作成代行センター２００に送信する。
【００７０】
これを受けて、ホームページ作成代行センター２００は、受信部２３０によりこの修正済み情報４２０および利用者識別コード１０１を受信して、符号Ａ１３で示すように、利用者識別コード１０１に基づいて、記憶部２７０に登録されている当該利用者識別コード１０１に関連付けられた原稿情報１２０，ＯＣＲ処理情報２３０と関連付けて登録する。
【００７１】
その後、作成代行者４００は、符号Ａ１４で示すように、その作成代行端末４１０により、前記利用者識別コード１０１に基づいて、ネットワーク５００を介してホームページ作成代行センター２００の記憶部２７０から、この利用者識別コード１０１に関連付けられた上記修正済み情報４２０および原稿情報１２０を読み出して、符号Ａ１５で示すように、原稿情報１２０の第二の画像情報１２２に含まれる説明文を参照しながら、修正済み情報４２０を加工して、ホームページ情報４３０を作成する。
そして、作成代行端末４１０は、符号Ａ１６で示すように、このホームページ情報４３０を利用者識別コード１０１と共に、ネットワーク５００を介してホームページ作成代行センター２００に送信する。
なお、符号Ａ９〜Ａ１２により実行される修正と、符号Ａ１４〜Ａ１６によって実行されるホームページ加工は、同一の作成代行者４００又は同一の作成代行端末４１０による実行に限定されるものではなく、それぞれ異なる作成代行者４００または異なる作成代行端末４１０により実行することが可能である。
【００７２】
これを受けて、ホームページ作成代行センター２００は、受信部２３０によりこのホームページ情報４３０および利用者識別コード１０１を受信して、符号Ａ１７で示すように、利用者識別コード１０１に基づいて、記憶部２７０に登録されている当該利用者識別コード１０１に関連付けられた原稿情報１２０，ＯＣＲ処理情報２５１，修正済み情報４２０と関連付けて登録する。
【００７３】
続いて、ホームページ作成代行センター２００は、符号Ａ１８で示すように、加工処理部２５０により、当該ユーザ１００のホームページ情報４３０の更新履歴情報２５２を作成し、符号Ａ１９で示すように、利用者識別コード１０１と関連付けて記憶部２７０に登録する。
さらに、ホームページ作成代行センター２００は、符号Ａ２０で示すように、このホームページ情報４３０を、ネットワーク５００上で公開するホームページとして仮登録する。
【００７４】
最後に、ホームページ作成代行センター２００は、符号Ａ２１で示すように、送信部２４０が、記憶部２７０からホームページ情報４３０を読み出して、通信回線３００を介してユーザ１００のユーザ端末１１０に画像情報として送信する。
これにより、ユーザ端末１１０は、符号Ａ２２で示すように、ホームページ作成代行センター２００からのホームページ情報４３０を受信して、画像出力する。この場合、ユーザ端末１１０は、ホームページ情報４３０の画像を、用紙に印刷して出力してもよく、また表示部に画面表示するようにしてもよい。
ここで、ユーザ１００は、この画像出力されたホームページ情報４３０を視認して、ホームページ情報４３０が希望通りの仕上がりであれば、符号Ａ２３で示すように、ユーザ端末１１０により通信回線３００を介して、利用者識別コード１０１と共に確認した旨の画像情報すなわち確認情報１３０を、ホームページ作成代行センター２００に送信する。
これを受けて、ホームページ作成代行センター２００は、符号Ａ２４で示すように、記憶部２７０に登録されている当該ユーザ１００のホームページ情報４３０を正式にホームページとしてネットワーク５００上にて一般公開する。
以上で、ホームページ情報の作成代行作業が完了する。
【００７５】
次に、ホームページ情報の更新作成作業について、図４を参照して説明する。
図４に示すように、まず、ホームページ作成代行センター２００は、符号Ｂ１で示すように、その送信部２４０により、記憶部２７０に登録されている原稿情報１２０に関して、その第二の画像情報１２２から取り出された更新情報１２３を検索して、更新情報１２３に示された次期更新時期が経過した（あるいは近づいた）ものを抽出し、符号Ｂ２で示すように、その利用者識別コード１０１に対応するユーザ１００のユーザ端末１１０に対して、通信回線３００を介してホームページ更新時期である旨の画像情報を通知する。
【００７６】
ユーザ１００は、この通知を見て、あるいは自発的に適宜の時期に、ホームページ更新案を手書きまたは切り貼り等により作成して図式化して、符号Ｂ３で示すように、更新のための原稿情報１２０を作成して、符号Ｂ４で示すように、自分のユーザ端末１１０により、通信回線３００を介してホームページ作成代行センター２００に接続して、原稿情報１２０を送信する。
その後は、図３に示した前述したホームページ新規作成作業と同様にして、作成代行者４００が選定され、当該作成代行者４００の作成代行端末４１０により、修正済み情報４２０，ホームページ情報４３０が作成され、ユーザ１００のユーザ端末１１０に、その画像情報が送信され、画像出力されることになる。
この場合、更新のための作成代行者４００は、ホームページ情報の新規作成の際の作成代行者とは限らず、したがって、この更新のための作成代行者４００は、当該ユーザ１００の現在までのホームページ情報４３０を把握し、参照するために、更新のための原稿情報１２０と共に、当該ユーザ１００の過去および現在のホームページ情報４３０を、ホームページ作成代行センター２００の記憶部２７０から読み出すことができるようになっている。
また、ホームページ作成代行センター２００が完成したホームページ情報４３０をネットワーク５００上でホームページとして一般公開する際には、当該ユーザ１００の過去および現在のホームページ情報４３０は、一般の閲覧者に対して非公開として、最新の更新したホームページ情報４３０のみを一般公開する。
【００７７】
このようにして、本実施形態によるホームページ作成代行システム１０によれば、ユーザ１００は、自分のユーザ端末１１０としてファクシミリ装置を利用できれば、例えばパーソナルコンピュータ等のインターネット接続サービスを受けるためのコンピュータを利用できなくても、またホームページ作成に関する技術を有していなくても、ホームページ案を手書きまたは切り貼り等により図式化してホームページ作成代行センター２００に通信回線３００を介して送信するだけで、所望のホームページを開設することができる。
他方、ホームページ作成代行センター２００は、原稿情報１２０のＯＣＲ処理後の修正およびホームページ加工の複雑な作業を、第三者である作成代行者４００に外注することになるため、ホームページ作成代行の作業を能率化することができる。
【００７８】
上述したホームページ作成代行システム１０においては、作成代行者４００は、作成代行端末４１０により修正済み情報４２０を作成した後、この修正済み情報４２０をネットワーク５００を介してホームページ作成代行センター２００に送信し、その記憶部２７０に登録すると共に、その後記憶部２７０から修正済み情報４２０を読み出して、ホームページ情報４３０を作成して、同様にホームページ情報４３０をネットワーク５００を介してホームページ作成代行センター２００に送信し、その記憶部２７０に登録するようになっているが、これに限らず、作成代行端末４１０からホームページ作成代行センター２００への送信，記憶部２７０への登録そして記憶部２７０からの読出を省略して、修正済み情報４２０の作成後、連続してホームページ情報４３０を作成するようにしてもよい。
この場合、修正済み情報４２０のホームページ作成代行センター２００への送信，記憶部２７０への登録は、省略されてもよく、またホームページ情報４３０と共にホームページ作成代行センター２００への送信，記憶部２７０への登録を行なうようにしてもよい。
【００７９】
【発明の効果】
以上のように、本発明によれば、ユーザは、ホームページ作成に関する知識がなくても、手書きまたは切り貼り等によりホームページ案を図式化した画像情報を作成して、ホームページ作成代行センターに送信すれば、ホームページ作成代行センターのサーバがプログラムに従って動作することにより、第三者である作成代行者が作成代行端末を操作することにより、ユーザの所望するホームページ情報が作成される。さらに、当該ホームページ情報が通信回線を介してユーザ端末に送信されることにより、ユーザ端末にて当該ホームページ情報の画像情報が出力されるので、ユーザはこの画像情報を視認することにより、当該ホームページ情報の出来上りを確認することができる。
【図面の簡単な説明】
【図１】本発明の実施形態によるホームページ作成代行システムの構成を示すブロック図である。
【図２】図１のホームページ作成代行システムにおけるホームページ作成代行センターの詳細な構成を示すブロック図である。
【図３】図１のホームページ作成代行システムにおけるホームページの新規作成作業を示すフローチャートである。
【図４】図１のホームページ作成代行システムにおけるホームページの更新作成作業の要部を示すフローチャートである。
【図５】従来のホームページ作成システムの構成を示すブロック図である。
【符号の説明】
１０    ホームページ作成代行システム
１００  ユーザ
１０１  利用者識別コード
１１０  ユーザ端末
１２０  原稿情報
１２１  第一の画像情報
１２２  第二の画像情報
１２３  更新情報
１３０  確認情報
２００  ホームページ作成代行センター
２１０  センター端末
２２０  サーバ本体
２３０  受信部
２４０  送信部
２５０  加工処理部
２５１  ＯＣＲ処理情報
２５２  更新履歴情報
２６０  解析部
２６１  単語（キーワード）
２６２  ホームページ作成代行指令
２７０  記憶部
３００  通信回線
４００  作成代行者
４１０  作成代行端末
４２０  修正済み情報
４３０  ホームページ情報
５００  ネットワーク
【図１】
2004259133.tif 000003
【図２】
2004259133.tif 000004
【図３】
2004259133.tif 000005
【図４】
2004259133.tif 000006
【図５】
2004259133.tif 000007